(57)【要約】【課題】  版の見当調整の操作性を向上させるとともに見当調整時間の短縮を図る。【解決手段】  ボルト３２は軸線方向が版胴１の半径方向に延在するように、支持部材３１に回転自在で軸線方向の移動をスリーブ３６によって規制されて支持されている。したがって、ボルト３２の頭部３２ａに設けられ、レンチ等の工具の先端部が挿入される六角穴３２ｂは版胴１の半径方向を指向している。ボルト３２に螺合し上下方向に移動するブロック３３には、下方から上方に向かって互いに拡がる方向に延在する一対の凸条体３３ｂ，３３ｂが突設されている。万力台１１には、この凸条体３３ｂ，３３ｂが嵌合する上方に向かって互いに漸次離間する傾斜溝１１ｅ，１１ｅが設けられている。【選択図】  図４
2007111937.tif 000002
【特許請求の範囲】
【請求項１】
版をくわえた版万力を版胴の軸線方向に移動させる版万力移動手段を備えた印刷機の版万力装置において、
版胴に設けた支持部材に回転可能で軸線方向の移動が規制されかつ軸線方向が版胴の半径方向を指向するボルトと、
このボルトに螺合する移動子とを備え、
この移動子は、版胴の半径方向に移動することによって前記版万力を版胴の軸線方向に移動させる係合部を備えていることを特徴とする印刷機の版万力装置。
【請求項２】
請求項１記載の印刷機の版万力装置において、
第１の係合部と第２の係合部とからなる前記係合部を有した前記移動子は、互いに隣接する版万力間に介装され、
前記一方の版万力に、前記第１の係合部と係合する第１の被係合部を形成するとともに、
前記他方の版万力に、前記第２の係合部と係合する第２の被係合部を形成したことを特徴とする印刷機の版万力装置。
【請求項３】
請求項２記載の印刷機の版万力装置において、
前記移動子の係合部は、さらに第３の係合部を備えるとともに、前記一方の版万力に前記第３の係合部と係合する第３の被係合部とを備え、
前記第１の係合部に形成された第１の傾斜面と、前記第１の被係合部に形成され前記第１の傾斜面に係合する第２の傾斜面とにより、前記移動子の一方向への移動により、一方の版万力が他方の版万力に対して離れる方向に移動し、
前記第３の係合部に形成された第３の傾斜面と、前記第３の被係合部に形成され前記第３の傾斜面と係合する第４の傾斜面とにより、前記移動子の前記一方向とは反対方向への他方向への移動により、一方の版万力が他方の版万力に対して近づく方向に移動することを特徴とする印刷機の版万力装置。
【請求項４】
請求項３記載の印刷機の版万力装置において、
前記他方の版万力は、前記版胴側に軸線方向の移動を不能に支持するとともに、前記支持部材は、前記版胴側に軸線方向の移動を可能に支持され、
前記支持部材は、前記移動子の一方向への移動により、前記他方の版万力に対して離れる方向に移動し、前記移動子の他方向への移動により、前記他方の版万力に対して近づく方向に移動することを特徴とする印刷機の版万力装置。
【請求項５】
請求項１記載の印刷機の版万力装置において、
前記移動子を前記版万力側と前記版胴の切欠きの軸線方向の端面側との間に介装したことを特徴とする印刷機の版万力装置。
【請求項６】
請求項１記載の印刷機の版万力装置において、
前記移動子に形成された第１の係合部と、前記版万力に形成され前記第１の係合部と係合する第１の被係合部とにより、前記移動子の一方向への移動により前記版万力を第１の方向へ移動させるとともに、
前記移動子に形成された第３の係合部と、前記版万力に形成され前記第３の係合部と係合する第３の被係合部とにより、前記移動子の前記一方向と反対方向の他方向への移動により前記版万力を前記第１の方向と反対方向の第２の方向へ移動させることを特徴とする印刷機の版万力装置。
【請求項７】
請求項６記載の印刷機の版万力装置において、
前記第１の係合部は第１の傾斜面を有し、前記第１の被係合部は前記第１の傾斜面と係合する第２の傾斜面を有し、
前記第３の係合部は第３の傾斜面を有し、前記第３の被係合部は前記第３の傾斜面と係合する第４の傾斜面を有することを特徴とする印刷機の版万力装置。
【発明の詳細な説明】
【技術分野】
【０００１】
本発明は、版の両端部をくわえて版を版胴に装着するために使用される印刷機の版万力装置に関するものである。
【背景技術】
【０００２】
この種の印刷機においては、くわえ側版万力および尻側版万力を版胴の軸線方向に移動させて版の見当調整を行う装置が設けられている。例えば、圧胴の爪にくわえられた紙が印刷用紙が含有する水分や表面性の不均一により、圧胴の周面上で圧力が加えられると、紙の尻側の幅がくわえ側の幅よりも扇形に拡がるか縮む現象、いわゆるファン・アウトが発生する。このファン・アウトが発生すると、多色刷りにおいては見当が合いにくくなる。したがって、ファン・アウトによる影響を排除するために、版胴の尻側版万力を版胴の軸線方向に移動調節できる構造とし、尻側版万力にくわえられた版の尻側端部の幅をファン・アウトに対応させて拡げるか、または縮めるように調整している。
【０００３】
従来の印刷機の版万力装置は、尻側版万力の万力台が胴の軸線方向に３分割され、これら万力台が連結金具によって連結されており、連結金具のピン孔にスパナを挿入して回転操作することにより万力台が版胴の軸線方向へ移動し微調整できるものがある（例えば、特許文献１参照）。また、胴の軸線方向に延びるくわえ側版万力の万力台の両端面と、ベアラとの間に設けたボルトのピン孔にスパナを挿入して回転操作することにより万力台を版胴の軸線方向へ移動させて微調整できるものもある。
【特許文献１】特開２０００−６３７３号公報（段落「００１２」および「００１９」、図１および図２）
【発明の開示】
【発明が解決しようとする課題】
【０００４】
上述した従来の印刷機の版万力装置においては、連結金具またはボルトの周面に設けた複数のピン孔にスパナを挿入し、スパナが挿入された連結金具を版胴の軸線周りに回転させる構造であるため、連結金具をある角度だけ回動させるとスパナが版胴の切欠きの壁面に当ってしまう。したがって、連結金具を所定数回転させるにはスパナをピン孔から抜き差しして行う必要があるため、連結金具の回転操作を連続して行うことができず、操作性が悪く見当調整に時間がかかるという問題があった。また、連結金具の回転をねじ作用により万力台の移動に変換させる構造であるため、連結金具を回転させるためのトルクが、常に一定の力となって万力台を移動させる力に変換される。このため、万力台を移動させる力を最も必要とする版尻を拡げる方向、または縮める方向への見当調整を行うとき、連結金具を回転させるために大きなトルクを必要とするので操作性が悪いという問題もあった。
【０００５】
本発明は上記した従来の問題に鑑みなされたものであり、その目的とするところは、版の見当調整の操作性を向上させるとともに見当調整時間の短縮を図ることにある。
【課題を解決するための手段】
【０００６】
この目的を達成するために、請求項１に係る発明は、版をくわえた版万力を版胴の軸線方向に移動させる版万力移動手段を備えた印刷機の版万力装置において、版胴に設けた支持部材に回転可能で軸線方向の移動が規制されかつ軸線方向が版胴の半径方向を指向するボルトと、このボルトに螺合する移動子とを備え、この移動子は、版胴の半径方向に移動することによって前記版万力を版胴の軸線方向に移動させる係合部を備えている。
【０００７】
請求項２に係る発明は、請求項１に係る発明において、第１の係合部と第２の係合部とからなる前記係合部を有した前記移動子は、互いに隣接する版万力間に介装され、前記一方の版万力に、前記第１の係合部と係合する第１の被係合部を形成するとともに、前記他方の版万力に、前記第２の係合部と係合する第２の被係合部を形成したものである。
【０００８】
請求項３に係る発明は、請求項２に係る発明において、前記移動子の係合部は、さらに第３の係合部を備えるとともに、前記一方の版万力に前記第３の係合部と係合する第３の被係合部とを備え、前記第１の係合部に形成された第１の傾斜面と、前記第１の被係合部に形成され前記第１の傾斜面に係合する第２の傾斜面とにより、前記移動子の一方向への移動により、一方の版万力が他方の版万力に対して離れる方向に移動し、前記第３の係合部に形成された第３の傾斜面と、前記第３の被係合部に形成され前記第３の傾斜面と係合する第４の傾斜面とにより、前記移動子の前記一方向とは反対方向への他方向への移動により、一方の版万力が他方の版万力に対して近づく方向に移動する。
【０００９】
請求項４に係る発明は、請求項３に係る発明において、前記他方の版万力は、前記版胴側に軸線方向の移動を不能に支持するとともに、前記支持部材は、前記版胴側に軸線方向の移動を可能に支持され、前記支持部材は、前記移動子の一方向への移動により、前記他方の版万力に対して離れる方向に移動し、前記移動子の他方向への移動により、前記他方の版万力に対して近づく方向に移動する。
【００１０】
請求項５に係る発明は、請求項１に係る発明において、前記移動子を前記版万力側と前記版胴の切欠きの軸線方向の端面側との間に介装したものである。
【００１１】
請求項６に係る発明は、請求項１に係る発明において、前記移動子に形成された第１の係合部と、前記版万力に形成され前記第１の係合部と係合する第１の被係合部とにより、前記移動子の一方向への移動により前記版万力を第１の方向へ移動させるとともに、前記移動子に形成された第３の係合部と、前記版万力に形成され前記第３の係合部と係合する第３の被係合部とにより、前記移動子の前記一方向と反対方向の他方向への移動により前記版万力を前記第１の方向と反対方向の第２の方向へ移動させる。
【００１２】
請求項７に係る発明は、請求項６に係る発明において、前記第１の係合部は第１の傾斜面を有し、前記第１の被係合部は前記第１の傾斜面と係合する第２の傾斜面を有し、前記第３の係合部は第３の傾斜面を有し、前記第３の被係合部は前記第３の傾斜面と係合する第４の傾斜面を有する。
【発明の効果】
【００１３】
本発明によれば、見当調整用のボルトの軸線方向が版胴の半径方向を指向していることにより、ボルトを回転操作する作業を版胴１の外径方向から行うことができるから作業が容易で、かつ連続して行うことができるから操作性が向上する。また、版万力を版胴の軸線方向へ移動させるために互いの傾斜面どうしのテーパーの作用により行うようにしたため、ボルトを回動させるためのトルクを低減させることができるから操作性が向上し調整時間も短縮することができる。
【発明を実施するための最良の形態】
【００１４】
以下、本発明の実施の形態を図に基づいて説明する。図１は本発明に係る印刷機の版万力装置が実施された版胴の上半分を示す断面図、図２は同じく版胴の切欠きに装着された版万力装置の左側半分を示す平面図、図３は図２におけるIII-III 線断面図、図４は図３におけるIV-IV 線断面図、図５は図４におけるV-V 線断面図、図６は図４におけるVI-VI 線断面図である。
【００１５】
図１において、全体を符号１で示す版胴の外周部には、断面が略長方形状を呈し底面２ａを山形状に形成された切欠き２が、胴の略全長にわたって設けらており、この切欠き２の両端開口は、切欠き２の端面と円板状に形成されたベアラ３，３とで閉塞されている。５は版胴１の軸線方向の全体にわたって設けられたくわえ側版万力であって、断面が略正方形状に形成され版胴１の軸線方向に延在する万力台６と、四つに分割されたくわえ板７とによって構成されている。この万力台６は、図示しない調節装置により切欠き２の底面に沿って版胴１の円周方向へ移動調節できるように構成されている。
【００１６】
四つに分割されたくわえ板７は平面視矩形状で全長が万力台６と略同長に形成されており、各くわえ板７は、支持ブロック８に設けられた水平方向に突出するピン８ａによって揺動自在に支持されている。各くわえ板７は、カム軸９を駆動装置によって回動することにより、カム軸９のカム部の作用で、各くわえ板７が揺動して万力台６のくわえ面６ａに対してくわえ板７のくわえ面７ａが開閉するように構成されている。
【００１７】
次に、図１および図２を用いて、三つに分割された尻側版万力１０Ａないし１０Ｃについて説明する。これら尻側版万力１０Ａないし１０Ｃのうち、中央の尻側版万力１０Ｂは版胴１に対して版胴１の軸線方向（矢印Ａ−Ｂ方向）の移動が規制された状態で設けられ、左右の尻側版万力１０Ａ，１０Ｃ（一方の尻側版万力１０Ｃは図示を省略）は版胴１の軸線方向（矢印Ａ−Ｂ方向）に移動自在に設けられている。したがって、上記以外の構造はいずれも同一の構造を有しているので、ここでは尻側版万力１０Ａについてのみ説明し、必要に応じて他の尻側版万力１０Ｂ，１０Ｃについても説明する。
【００１８】
図１および図２において、１０Ａはくわえ側版万力５と平行に切欠き２内に設けられた尻側版万力であって、断面が略長方形状に形成され版胴１の軸線方向に延在する万力台１１と、くわえ板１２とによって構成されている。また、この尻側版万力１０Ａは、くわえ板１２と矢印Ａ−Ｂ方向に略同じ長さに形成され切欠き２の底面２ａに固定された固定部材としてのばね受けバー１３を備えている。このばね受けバー１３は版胴１の半径方向に延設された端面１３ａを備えており、この端面１３ａと切欠き２の壁面２ｂとの間には、支持軸１４が左右のベアラ３，３方向に延設されている。
【００１９】
上記した万力台１１とくわえ板１２とは、版胴１の半径方向に延在するくわえ面１１ａ，１２ａを互いに対向させて、これらくわえ面１１ａ，１２ａが離間・接近するように、支持軸１４を揺動支点として連結されている。また、万力台１１とくわえ板１２とは切欠き２の円周方向へわずかに移動調整できるように構成されている。切欠き２の壁面２ｂに形成された凹部２ｃ内には、平面状に形成された小径部１５ａと円弧状に形成された大径部１５ｂとで棒状に形成されたカム軸１５が版胴１に回動自在に支持されている。１６は尻側版万力１０の脱落を規制するガイドであって、切欠き２の壁面２ａの凹部２ｃに固定されている。
【００２０】
図１において、１８はばね受けバー１３のばね孔１３ｂ内に摺動自在に設けられ、ダブルナットによって移動端限が規制されたばね軸であって、このばね軸１８の鍔部１８ａとばね孔１３ｂの底面との間には、くわえ板１２をばね受けバー１３から離間させる方向に付勢する付勢手段としての圧縮コイルばね１９が弾装されている。
【００２１】
次に、図３ないし図６を用いて、尻側版万力１０Ａ，１０Ｂ間に設けられ、版の尻側端部を版の幅方向に伸縮させる見当調整装置３０について説明する。なお、図示を省略したが、尻側版万力装置１０Ｂ，１０Ｃ間にも同じ構造の見当調整装置３０が設けられている。見当調整装置３０は、図４に示すように、尻側版万力１０Ａ，１０Ｂの版万力１１，１１に跨って設けられた支持部材３１と、この支持部材３１の孔３１ａに回転自在に支持されたボルト３２と、このボルト３２に螺合する移動子としてのブロック３３とによって概ね構成されている。
【００２２】
互いに隣接する尻側版万力１０Ａ，１０Ｂの版万力１１，１１には、図５に示すように互いに対向する非貫通孔１１ｃ，１１ｃが設けられ、これら非貫通孔１１ｃ，１１ｃに嵌挿された軸３４を介して連結されており、尻側版万力１０Ａが尻側版万力１０Ｂに対して矢印Ａ−Ｂ方向に移動自在となっている。また、尻側版万力１０Ａ，１０Ｂの各万力台１１，１１の矢印Ｃ方向の端面には、図４および図５に示すように、矢印Ａ−Ｂ方向に延在する細長い長方形に形成された嵌合溝１１ｄ，１１ｄが設けられているとともに、図４に示すように上方に向かって互いに漸次離間する傾斜溝１１ｅ，１１ｅが設けられている。一方の尻側版万力１０Ａの傾斜溝１１ｅの矢印Ａ方向の側面１１１には、第１の被係合部が設けられており、この第１の被係合部１１１には第２の傾斜面が形成されており、矢印Ｂ方向の側面１１３には、第３の被係合部が設けられており、この第３の被係合部１１３には第４の傾斜面が形成されている。また、他方の尻側版万力１０Ｂの傾斜溝１１ｅの矢印Ｂ方向の側面１１２には、第２の被係合部が設けられている。
【００２３】
支持部材３１は偏平な直方体状に形成されており、中央部に設けた膨出部に孔３１ａが形成され、両端部に厚みの薄い一対の支持片３１ｂ，３１ｂが設けられている。この支持部材３１は、尻側版万力１０Ａ，１０Ｂの版万力１１，１１の嵌合溝１１ｄ，１１ｄに嵌合され、各嵌合溝１１ｄ，１１ｄの底面にねじで取り付けられた押え片３５，３５と、嵌合溝１１ｄ，１１ｄの底面とによって支持片３１ｂ，３１ｂが摺動自在に保持されている。すなわち、この支持部材３１は尻側版万力１０Ａ，１０Ｂの各版万力１１，１１に上下方向の移動が規制され、かつ中央の尻側版万力１０Ｂの版万力１１に対して矢印Ａ−Ｂ方向への移動が可能に支持されている。また、尻側版万力１０Ａの版万力１１がこの支持部材３１に対して矢印Ａ−Ｂ方向への移動は可能になっている。このように尻側版万力１０Ｂの版万力１１に保持された支持部材３１の孔３１ａは、版胴１の半径方向を指向するように設けられている。
【００２４】
したがって、この支持部材３１の孔３１ａに回転自在に支持されているボルト３２は、軸線方向が版胴１の半径方向から挿通されており、頭部３２ａの工具係入穴３２ｂの開口が常に版胴１の半径方向を指向している。このボルト３２は、図４に示すようにボルト３２に止めピンで軸着されたスリーブ３６によって軸線方向への移動が規制されている。また、このボルト３２の頭部３２ａには、レンチ等の工具の先端を挿入できる前記工具係入穴として機能する六角穴３２ｂが設けられている。
【００２５】
ブロック３３は、図６に示すように中央部にねじ部３３ａが設けられ、両端部には、図４に示すように上方に向かって互いに漸次離間するように上下に延在し、尻側版万力１０Ａ，１０Ｂの各版万力１１，１１の傾斜溝１１ｅ，１１ｅに係合される一対の凸条体３３ｂ，３３ｂが設けられている。これら凸条体３３ｂ，３３ｂのうち、図４において左側に設けられた凸条体３３ｂの矢印Ａ方向の側面３３１には、上記した傾斜溝１１ｅの第１の被係合部１１１の第２の傾斜面に係合する第１の係合部の第１の傾斜面が設けられている。また、  凸条体３３ｂの矢印Ｂ方向の側面３３３には、上記した傾斜溝１１ｅの第３の被係合部１１３の第４の傾斜面に係合する第３の係合部の第３の傾斜面が設けられている。このように、ブロック３３は、両端部に第１および第３の傾斜面３３１，３３３を有して楔状に形成されている。また、右側に設けられた凸条体３３ｂの矢印Ｂ方向の側面３３２には、上記した傾斜溝１１ｅの第２の被係合部１１２に係合する第２の係合部が設けられている。このブロック３３は、図６に示すように、ボルト３７でこのブロック３３に取り付けられた抜け止め片３８によって、凸条体３３ｂ，３３ｂが傾斜溝１１ｅ，１１ｅからの抜けが規制された状態で、万力台１１，１１に上下方向に摺動自在に支持されている。
【００２６】
このように万力台１１，１１に支持されたブロック３３のねじ部３３ａには、上記したボルト３２が螺合している。したがって、ボルト３２を、時計・反時計に回転させることにより、ブロック３２が上下に移動し、凸条体３３ｂ，３３ｂと傾斜溝１１ｅ，１１ｅとの互いの傾斜面どうしのテーパーの作用により、尻側版万力１０Ａの版万力１１が尻側版万力１０Ｂの版万力１１に対して矢印Ａ−Ｂ方向に移動する。
【００２７】
すなわち、ボルト３２を、図２において反時計方向に回転させると、ブロック３３は図４において一方向（図中矢印Ｅ方向）に移動し、凸条体３３ｂの第１の係合部３３１と傾斜溝１１ｅの第１の被係合部１１１との互いの傾斜面どうしのテーパーの作用により、左側の尻側版万力１０Ａが第１の方向（図中矢印Ａ方向）に移動する。一方、ボルト３２を、図２において時計方向に回転させると、ブロック３３は図４において一方向と反対方向の他方向（図中矢印Ｆ方向）に移動し、凸条体３３ｂの第３の係合部３３３と傾斜溝１１ｅの第３の被係合部１１３との互いの傾斜面どうしのテーパーの作用により、左側の尻側版万力１０Ａが第２の方向（図中矢印Ｂ方向）に移動する。
【００２８】
次に、このような構成の印刷機の版万力装置において、尻側版万力にくわえられた版の尻側端部を幅方向に拡げるか、または縮める見当調整について説明する。図１において、くわえ側版万力５の万力台６およびくわえ板７のそれぞれのくわえ面６ａ，７ａとの間に版のくわえ側端部を挿入し、図示を省略した駆動装置によってカム軸９を回動することにより、万力台６のくわえ面６ａに対してくわえ板７のくわえ面７ａを閉じることにより版のくわえ側端部をくわえる。次いで、版胴を略１回転させ、版の尻側端部を尻側版万力１０Ａ，１０Ｂ，１０Ｃの万力台１１およびくわえ板１２のそれぞれのくわえ面１１ａ，１２ａとの間に版の尻側端部を挿入する。
【００２９】
図示を省略した駆動装置によってカム軸１５を回動させることにより、図３に示すように大径部１５ｂによって万力台１１を図中矢印Ｃ方向に移動させ、万力台１１のくわえ面１１ａに対してくわえ板１２のくわえ面１２ａを閉じることにより版の尻側端部をくわえる。さらに、カム軸１５を時計方向に回動させると、尻側版万力１０Ａ，１０Ｂ，１０Ｃの万力台１１およびくわえ板１２は版の尻側端部をくわえたまま矢印Ｃ方向にわずかに移動するので、版は天地方向に引っ張られ緊張した状態で版胴１の周面に装着される。
【００３０】
ここで、尻側版万力１０Ａないし１０Ｃにくわえられた版の尻側端部を幅方向に拡げる見当調整が必要な場合は、ボルト３２を図２中反時計方向に回転操作することにより、図４においてボルト３２が螺合しているブロック３３が図中矢印Ｅ方向（下方）に移動する。この移動により、ブロック３３の凸条体３３ｂの第１の係合部３３１と傾斜溝１１ｅの第１の被係合部１１１との互いの傾斜面どうしのテーパーの作用により、左側の尻側版万力１０Ａが第１の方向（図中矢印Ａ方向）に移動し、版の尻側端部を幅方向に拡げる見当調整が行われる。
【００３１】
この見当調整は、ボルト３２の頭部３２ａが常に版胴１の半径方向を指向していることにより、レンチの先端部を六角穴３２ｂへ挿入する作業を版胴１の径方向の外側から行うことができるから作業が容易で、かつ連続して行うことができるから操作性が向上する。また、尻側版万力１０Ａの版万力１１を尻側版万力１０Ｂの版万力１１に対して移動させるのに、ブロック３３の凸条体３３ｂ，３３ｂとこれと係合している傾斜溝１１ｅ，１１ｅとの互いの傾斜面どうしのテーパーの作用により行うようにしたため、ボルト３２を回動させるトルクを低減させることができるから調整時間も短縮することができる。
【００３２】
一方、尻側版万力１０Ａないし１０Ｃにくわえられた版の尻側端部を幅方向に縮める見当調整が必要な場合は、ボルト３２を図２中時計方向に回転操作することにより、図４においてボルト３２が螺合しているブロック３３が図中矢印Ｆ方向（上方）に移動する。この移動により、凸条体３３ｂの第３の係合部３３３と傾斜溝１１ｅの第３の被係合部１１３との互いの傾斜面どうしのテーパーの作用により、左側の尻側版万力１０Ａが第２の方向（図中矢印Ｂ方向）に移動し、版の尻側端部を幅方向に縮める見当調整が行われる。
【００３３】
このように、版万力１０Ａの矢印Ａ−Ｂ方向の移動を、ブロック３３に凸条体３３ｂとこれと係合している万力台１１の傾斜溝１１ｅとによって行うようにしたことにより、一つの見当調整装置３０を操作することによって、版の尻側端部を幅方向に拡げたり縮めたりする見当調整を行うことができる。このため、見当調整作業が容易になり作業時間も短縮され、見当調整装置を複数必要としないため構造の簡素化と製造コストの低減を図ることができる。また、中央の版万力１０Ｂを矢印Ａ−Ｂ方向の移動を不能とし、支持部材３１を版万力１０Ｂに対して矢印Ａ−Ｂ方向の移動を可能としたことにより、ボルト３２の回転量に対して版万力１０Ａの矢印Ａ−Ｂ方向の移動量を約２倍に大きくすることができる。
【００３４】
なお、上述した第１の実施の形態においては、中央の尻側版万力１０Ｂを版胴の軸線方向に移動不可としたが、ボルト３０の回転操作によって版万力１０Ａ，１０Ｂが互いに接近離間するように移動自在に支持してもよい。
【００３５】
図７ないし図９は本発明の第２の実施の形態を示し、図７は版胴の切欠きに装着された版万力装置を正面から視た概念図、図８は要部の側面図、図９は図８におけるIX-IX 線断面図である。図７および図８に全体を符号５０で示すくわえ側版万力には、断面略矩形状に形成されて切欠き２の軸線方向に延在し矢印Ａ−Ｂ方向に移動自在な万力台５１が備えられている。この万力台５１には、これと全長が略同長で軸線方向に４つに分割されたくわえ板５２が図示を省略したボルトで揺動自在に支持されている。このくわえ板５２の端面に固定されたプレート５３ａと、万力台５１の凹孔５１ａとの間には、カム軸５４が回転自在に軸支されている。このカム軸５４を駆動装置によって回動することにより、ばね部材（共に図示せず）との協働でくわえ板５２が揺動し、万力台５１のくわえ面５１ｂに対してくわえ面５２ａが開閉するように構成されている。
【００３６】
５５Ａ，５５Ｂはくわえ側版万力５０の両端と切欠き２の端面２ｃ，２ｄ間に設けられた見当調整装置であって、これら見当調整装置５５Ａ，５５Ｂは共に同じ構造を有しているので、ここでは見当調整装置５５Ａのみについて説明し、必要に応じて見当調整装置５５Ｂについて説明する。
【００３７】
図８および図９に示すように、見当調整装置５５Ａは、断面略コ字状に形成された切欠き２の底面２ａに取り付けられた支持部材５６を備えており、この支持部材５６の上面部５６ａにはねじ部５６ｂが設けられている。５７は頭部５７ａの六角穴５７ｂが版胴１の半径方向を指向するように支持部材５６の孔５６ｂに嵌挿されたボルトであって、このボルト５７に軸着されたスリーブ５８によって軸線方向への移動が規制されている。
【００３８】
５９はボルト５７に螺合した第１のブロックであって、一方の側面５９ａが版胴１の半径方向に延在するように形成され、この一方の側面５９ａが切欠き２の版胴１の軸線方向の端部に設けられ版胴１の半径方向に延在する端面２ｃに対接されている。また、この第２のブロック５９の他方の側面には、下方に向かって矢印Ａ方向に傾斜する傾斜面５９ｂが形成されている。６０は万力台５１の端面５１ｂに取り付けられた第２のブロックであって、上方に向かって矢印Ｂ方向に傾斜した傾斜面６０ａが設けられており、この傾斜面６０ａは第１のブロック５９の傾斜面５９ａに対接されている。このような構成において、ボルト５７を正方向に回転することにより、第１のブロック５９を上昇させ、ボルト５７を逆方向に回転することにより第１のブロック５９を下降させる。
【００３９】
見当調整装置５５Ｂには、図７に示すようにボルト５７を正、逆方向に回転することにより上下動する第１のブロック６２を備えられており、この第１のブロック６２の一方の側面６２ａが版胴１の半径方向に延在するように形成されている。この一方の側面６２ａは切欠き２の版胴１の軸線方向の端部に設けられ版胴１の半径方向に延在する端面２ｄに対接されている。また、この第２のブロック６２の他方の側面には、下方に向かって矢印Ｂ方向に傾斜する傾斜面６２ｂが形成されている。６３は万力台５１の端面５１ｃに取り付けられた第２のブロックであって、上方に向かって矢印Ａ方向に傾斜した傾斜面６３ａが設けられており、この傾斜面６３ａは第１のブロック６２の傾斜面６２ｂに対接されている。
【００４０】
次に、このように構成された印刷機の版万力装置において、版を幅方向に見当調整する場合について説明する。先ず、版を矢印Ａ方向に移動させる見当調整について説明する。先ず、一方の見当調整装置５５Ａのボルト５７を図８における平面視において時計方向に回転させて、第１のブロック５９を上方に移動させることにより、第１のブロック５９の傾斜面５９ｂを第２のブロック６０の傾斜面６０ａから離間させる。
【００４１】
次いで、他方の見当調整装置５５Ｂのボルト５７を図８における平面視において反時計方向に回転させて、第１のブロック６２を下方に移動させる。この移動により、第１のブロック６２の傾斜面６２ｂとこれに対接されている第２のブロック６３の傾斜面６３ａの互いの傾斜面どうしのテーパーの作用によって、万力台５１が矢印Ａ方向に移動する。
【００４２】
この見当調整は、図９において、ボルト５７の頭部５７ａが版胴１の半径方向を指向しているため、レンチの先端部を六角穴５７ｂへ挿入する作業を版胴１の径方向の外側から行うことができるから作業が容易で、かつ連続して行うことができるから操作性が向上する。また、万力台５１を矢印Ａ方向に移動させるのに、ブロック６２，６３の互いの傾斜面どうしのテーパーの作用により行うようにしたため、ボルト５７を回動させるトルクを低減させることができるから、操作性が向上し調整時間も短縮させることができる。
【００４３】
次に、版を矢印Ｂ方向に移動させる見当調整について説明する。この場合は、先ず、他方の見当調整装置５５Ｂのボルト５７を図８における平面視において時計方向に回転させて、第１のブロック６２を上方に移動させることにより、第１のブロック６２の傾斜面６２ｂを第２のブロック６３の傾斜面６３ａから離間させる。
【００４４】
次いで、一方の見当調整装置５５Ａのボルト５７を図８における平面視において反時計方向に回転させて、第１のブロック５９を下方に移動させることにより、第１のブロック５９の傾斜面５９ｂとこれに対接されている第２のブロック６０の傾斜面６０ａの互いの傾斜面どうしのテーパーの作用によって、万力台５１を矢印Ｂ方向に移動させる。
【００４５】
なお、上述した第２の実施の形態においては、第１のブロック５９，６２の一方の側面５９ａ，６２ａを版胴１の端面２ｃ，２ｄに対接させるようにしたが、カムブロック５９，６２が版胴１の半径方向に移動するものであれば、必ずしも一方の側面５９ａ，６２ａを版胴１の端面２ｃ，２ｄに対接させる必要はない。
【００４６】
図１０は本発明の第３の実施の形態を示し、版胴の切欠きに装着された版万力装置を正面から視た概念図である。この第３の実施の形態が上述した第２の実施の形態と異なる点は、版万力が３つの尻側版万力によって構成されている点と、これら３つの版万力６５Ａないし６５Ｃのうち左右の版万力６５Ａ，６５Ｃの各両端面が傾斜し第２傾斜面６５ａ，６５ｂが形成され、各見当調整装置７０Ａないし７０Ｄを構成するブロックを一つとした点にある。なお、中央の版万力６５Ｂの両端面６６ａ，６６ｂは版胴１の半径方向に延在するように形成されており、この版万力６５Ｂは矢印Ａ−Ｂ方向への移動が規制された状態で切欠き２に設けられている。
【００４７】
各見当調整装置７０Ａないし７０Ｄには、図示を省略したボルトの回転操作によって、版胴１の半径方向に上下動するブロック７１，７２が備えられている。このうち、見当調整装置７０Ａのブロック７１の一方の側面７１ａは、版胴１の切欠き２の壁面２ｃに対接し、他方の側面７１ｂは版万力６５Ａの傾斜面６５ａに対接するように傾斜面７１ｂを形成している。同様に、見当調整装置７０Ｄのブロック７１の一方の側面７１ａは、版胴１の切欠き２の壁面２ｄに対接し、他方の側面７１ｂは版万力６５Ｃの傾斜面６５ｂに対接するように傾斜面７１ｂを形成している。また、見当調整装置７０Ｂ，７０Ｃのブロック７２，７２の一方の側面７２ａ，７２ａは、中央の版万力６５Ｂの両端面６６ａ，６６ｂのそれぞれに対接している。見当調整装置７０Ｂのブロック７２の他方の側面７２ｂは、版万力６５Ａの傾斜面６５ｂに対接するように傾斜面７２ｂを形成している。見当調整装置７０Ｃのブロック７２の他方の側面７２ｂは、版万力６５Ｃの傾斜面６５ａに対接するように傾斜面７２ｂを形成している。
【００４８】
このような構成において、版を幅方向に拡げる見当調整を行う場合は、先ず、左右の見当調整装置７０Ａ，７０Ｄのブロック７１，７１を上方に移動させる。この移動によって、ブロック７１，７１の傾斜面７１ｂ，７１ｂを版万力６５Ａの傾斜面６５ａと版万力６５Ｃの傾斜面６５ｂとから離間させる。次いで、中央の見当調整装置７０Ｂ，７０Ｃのブロック７２，７２を下方に移動させる。この移動によって、見当調整装置７０Ｂのブロック７２の傾斜面７２ｂと、これと対接する版万力６５Ａの傾斜面６５ｂとの互いの傾斜面どうしのテーパーの作用により、版万力６５Ａが矢印Ａ方向に移動する。同時に、見当調整装置７０Ｃのブロック７２の傾斜面７２ｂと、これと対接する版万力６５Ｃの傾斜面６５ａとの互いの傾斜面どうしのテーパーの作用により版万力６５Ｃが矢印Ｂ方向に移動する。したがって、これら版万力６５Ａ，６５Ｃにくわえられている版が矢印Ａ−Ｂ方向（版の幅方向）に拡げられる。
【００４９】
一方、版を幅方向に縮める見当調整を行う場合は、先ず、中央の見当調整装置７０Ｂ，７０Ｃのブロック７２，７２を上方に移動させる。この移動によって、見当調整装置７０Ｂのブロック７２の傾斜面７２ｂを版万力６５Ａの傾斜面６５から離間させ、見当調整装置７０Ｃのブロック７２の傾斜面７２ｂを版万力６５Ｃの傾斜面６５ａから離間させる。次いで、左右の見当調整装置７０Ａ，７０Ｄのブロック７１，７１を下方に移動させる。この移動によって、見当調整装置７０Ａのブロック７１の傾斜面７１ｂと、これと対接する版万力６５Ａの傾斜面６５ａとの互いの傾斜面どうしのテーパーの作用により、版万力６５Ａが矢印Ｂ方向に移動する。同時に、見当調整装置７０Ｄのブロック７１の傾斜面７１ｂと、これと対接する版万力６５Ｃの傾斜面６５ｂとの互いの傾斜面どうしのテーパーの作用により版万力６５Ｃが矢印Ａ方向に移動する。したがって、これら版万力６５Ａ，６５Ｃにくわえられている版が矢印Ａ−Ｂ方向（版の幅方向）に縮められる。
【００５０】
なお、この第３の実施の形態において、版万力６５Ａの端面６５ａおよび版万力６５Ｃの端面６５ｂを傾斜面に形成せずに版胴１の半径方向に延在するように形成し、切欠き２の端面２ｃ，２ｄを傾斜させるように形成してもよい。また、ブロック７１，７１の一方の側面７１ａ，７１ａを版胴１の端面２ｃ，２ｄに対接させたが、ブロック７１，７１が版胴１の半径方向に移動するのであれば、必ずしも一方の側面７１ａ，７１ａを版胴１の端面２ｃ，２ｄに対接させる必要はない。
【図面の簡単な説明】
【００５１】
【図１】本発明に係る印刷機の版万力装置が実施された版胴の上半分を示す断面図である。
【図２】本発明に係る印刷機の版万力装置が実施された版胴の切欠きに装着された版万力装置の左側半分を示す平面図である。
【図３】図２におけるIII-III 線断面図である。
【図４】図３におけるIV-IV 線断面図である。
【図５】図４におけるV-V 線断面図である。
【図６】図４におけるVI-VI 線断面図である。
【図７】本発明の第２の実施の形態を示し、版胴の切欠きに装着された版万力装置を正面から視た概念図である。
【図８】本発明の第２の実施の形態における要部の側面図である。
【図９】図８におけるIX-IX 線断面図である。
【図１０】本発明の第２の実施の形態を示し、版胴の切欠きに装着された版万力装置を正面から視た概念図である。
【符号の説明】
【００５２】
１…版胴、２…切欠き、２ｃ，２ｄ…端面、３…ベアラ、５，５０…くわえ側版万力、１０，１０Ａ，１０Ｂ，１０Ｃ，６５Ａ，６５Ｂ，６５Ｃ…尻側版万力、１１…万力台、１１ａ，１２ａ…くわえ面、１１ｅ…傾斜溝、１１１…第１の被係合部（第２の傾斜面）、１１２…第２の被係合部、１１３…第３の被係合部（第４の傾斜面）、１２…くわえ板、３０，５５Ａ，５５Ｂ，７０Ａないし７０Ｄ…見当調整装置、３１…支持部材、３２，５７…ボルト、３２ｂ，５７ｂ…六角穴、３３，７１，７２…ブロック、３３ｂ…凸条体、３３１…第１の係合部（第１の傾斜面）、３３２…第２の係合部、３３３…第３の係合部（第３の傾斜面）、５９，６２…第１のブロック、６０，６３…第２のブロック。
【図１】
2007111937.tif 000003
【図２】
2007111937.tif 000004
【図３】
2007111937.tif 000005
【図４】
2007111937.tif 000006
【図５】
2007111937.tif 000007
【図６】
2007111937.tif 000008
【図７】
2007111937.tif 000009
【図８】
2007111937.tif 000010
【図９】
2007111937.tif 000011
【図１０】
2007111937.tif 000012